(57)【要約】【課題】  筐体の製造コストを増加させずに、リール装置の取付位置変更を可能にする。【解決手段】  スロットマシンの筐体５０内にリール装置６０を位置変更可能に固定するケース支持板３０を設ける。この支持板はリール装置６０を載置する底板部３１とこの左右両端部から上方へ延びる一対の側板部３２と底板部３１の前側から下方へ延びる前板部３３と底板部３１の後側から上方へ延びる後板部３４とを有する。側板部３２の前後両端部及び後板部３４の左右両端部に上下方向に所定間隔を有して配置された複数の固定孔３２ａ、３２ａ’、３４ａ、３４ａ’を設ける。これらの固定孔のうち略同一高さ位置にあるものは、筐体５０の側板５１及び裏板５２の各両端部に設けられた一対の貫通孔５１ａと連通可能であり、この連通した孔に締結手段を挿通して締め付けてケース支持板３０を筐体５０に固定する。前板部３３にリール装置６０の雄ねじ部に係合可能な雌ねじ部３３ｂを複数設ける。【選択図】  図５
2006130174.tif 000002
【特許請求の範囲】
【請求項１】
前側が開口した筐体の一対の側板間に取り付けられてリール装置を載置して固定する支持板を備えた遊技機において、
前記支持板に、該支持板の幅方向に所定距離を有して配置されて前記リール装置に設けられた係止部と係合して該リール装置を前記支持板に固定する復数の係合部を設けたことを特徴とする遊技機。
【請求項２】
前記係止部が前記リール装置の前側に配置され、前記係合部が前記支持板の前側に配置されることを特徴とする請求項１に記載の遊技機。
【請求項３】
筐体の一対の側板間に取り付けられてリール装置を載置して固定する支持板を備えた遊技機において、
前記支持板の幅方向の両端部に、上下方向に所定距離を有して配置されて前記一対の側板のそれぞれに設けられた係合部と係合して前記支持板を前記側板に固定する復数の係止部を設けたことを特徴とする遊技機。
【請求項４】
前記係止部は、締結手段による前記係合部との間の締め付けによって前記側板に固定されることを特徴とする請求項３いずれかに記載の遊技機。
【発明の詳細な説明】
【技術分野】
【０００１】
本発明は、遊技機に関し、さらに詳細には、リール装置を載置して固定する支持板を備えた遊技機に関する。
【背景技術】
【０００２】
リール装置は、パチンコ遊技機、スロットマシン、雀球機及びパチスロマシンやゲームセンタで用いられているゲーム機等の箱形遊技機に装着されている。
【０００３】
このような遊技機のなかで、箱形遊技機の１つであるスロットマシンに装着されるリール装置は、遊技者に面するフロントドアを開閉自在に取り付けた筐体内に取り付けられた支持板上に支持されて固定されたものが知られている（特許文献１参照）。
【０００４】
この支持板（文献では中板）上には、筐体の幅方向に所定距離を有して配置されて前後方向に延びる一対のガイドレールが設けられている。これらのガイドレールにリール装置（文献ではリールユニット）の底部に設けられた係合レールを係合させると、リール装置を支持板上の所定位置に装着することができる。リール装置は、これに設けられたクリップと支持板上に設けられたフックからなる固定装置によって固定される。
【０００５】
支持板を介して筐体に固定されたリール装置は、フロントドア（文献では前扉）の上扉に形成された透過窓（文献では表示窓）を介して見ることが可能であり、透過窓の上方及び下方の上扉の表面には、演出用の図案が設けられている。
【０００６】
【特許文献１】特開２００４−２７５４６９号公報
【発明の開示】
【発明が解決しようとする課題】
【０００７】
ここで、リール装置は筐体の所定位置に固定されており、上扉の前面に対する透過窓の位置も所定位置に配置されている。このため、透過窓の回りの前面スペースも一定の領域が形成されている。従って、これらの領域に描かれる図案をより演出効果の高いものにするのは限界がある。そこで、前面に対する透過窓の位置を変えると多様な図案を作成することができるが、このようにすると、透過窓を通して目視されるリール装置の筐体に対する取付位置を変更しなければならず、筐体の設計変更が必要となり、遊技機の製造コストを増加させるという問題が生じる。
【０００８】
また、透過窓の上方に液晶ディスプレイ等の演出表示装置を設けると、演出効果を向上させることができるが、演出表示装置を小さいものから大きいものに仕様を変更すると、透過窓の位置を下方にずらすとともに、リール装置を支持する支持板の位置も下方にずらさなければならない。このため、前述した演出効果の高い図案の作成の場合と同様の問題が生じる。
【０００９】
本発明は、このような問題に鑑みてなされたものであり、筐体の製造コストを増加させることなく、リール装置の取り付け位置を変更可能な筐体を備えた遊技機を提供することを目的とする。
【課題を解決するための手段】
【００１０】
このような課題を解決するため、本発明は、前側が開口した筐体の一対の側板間に取り付けられてリール装置を載置して固定する支持板（例えば、実施の形態におけるケース支持板３０、３０’）を備えた遊技機（例えば、実施の形態におけるスロットマシン１）において、支持板に、該支持板の幅方向に所定距離を有して配置されてリール装置に設けられた係止部（例えば、実施の形態における雄ねじ部６５）と係合して該リール装置を支持板に固定する復数の係合部（例えば、実施の形態における雌ねじ部３３ｂ）を設けたことを特徴とする。
【００１１】
この発明によれば、リール装置に設けられた係止部と係合してリール装置を支持板に固定する係合部を支持板の幅方向に所定距離を有して複数配設することにより、リール装置の取付位置が筐体の幅方向にずれた場合、復数の係合部のいずれかに係止部を係合させることで、リール装置を所望の位置に固定することができる。このため、リール装置の取付位置が支持板の幅方向に変更されても、筐体の設計変更は不要であり、多様な仕様に対応可能な筐体を得ることができ、製造コストを増加させない筐体を備えた遊技機を提供することができる。
【００１２】
また、本発明は、係止部がリール装置の前側に配置され、係合部が支持板の前側に配置されることを特徴とする。
【００１３】
この発明によれば、係止部をリール装置の前側に配置し、係合部を支持板の前側に配置することによって、前側が開口した筐体の前側から係止部を係合部に係合させることができる。このため、リール装置を支持板に固定する際の作業性を向上させることができる。
【００１４】
また、本発明は、筐体の一対の側板間に取り付けられてリール装置を載置して固定する支持板を備えた遊技機において、支持板の幅方向の両端部に、上下方向に所定距離を有して配置されて一対の側板のそれぞれに設けられた係合部（例えば、実施の形態における貫通孔５１ａ）と係合して支持板を側板に固定する復数の係止部（例えば、実施の形態における固定孔３２ａ、３２ａ’、締結手段）を設けたことを特徴とする。
【００１５】
この発明によれば、リール装置に設けられた係止部と係合してリール装置を支持板に固定する係合部を、支持板の幅方向の両端部に上下方向に所定距離を有して複数配設することにより、リール装置の取付位置が上下方向にずれた場合、復数の係合部のいずれかに係止部を係合させることで、リール装置を所望の上下位置に固定することができる。このため、リール装置の取付位置が上下方向に変更が生じても、筐体の設計変更は不要であり、多様な仕様に対応可能な筐体を得ることができ、製造コストを増加させない筐体を備えた遊技機を提供することができる。
【００１６】
さらに本発明は、係止部は、締結手段による係合部との間の締め付けによって側板に固定されることを特徴とする。
【００１７】
この発明によれば、係止部は、締結手段による係合部との間の締め付けによって側板に固定されことで、締結手段を締め付けると係止部を係合部に固定することができ、締結手段を緩めると係合部に固定された係止部の固定状態を解除することができる。このため、簡易な構成で係止部を係合部に固定することができ、また固定及び固定解除のそれぞれの作業性を向上させることができる。
【発明の効果】
【００１８】
本発明によれば、リール装置に設けられた係止部と係合してリール装置を支持板に固定する係合部を支持板に所定距離を有して複数配設することにより、リール装置の取付位置に変更が生じても、筐体の製造コストを増加させることなく、支持板を所望の位置に固定可能な筐体を備えた遊技機を提供することができる。
【発明を実施するための最良の形態】
【００１９】
以下、本発明に係わる遊技機の好ましい実施の形態を図１から図７に基づいて説明する。本実施の形態は、遊技機の一例としてスロットマシンを例にして説明する。
【００２０】
[第１の実施の形態]
先ず、本発明に係わる遊技機の第１の実施の形態について説明する。スロットマシン１は、図１（正面図）に示すように、遊技者に面するフロントドア１０と、フロントドア１０を開閉自在に取り付けた図２に示す筐体５０とを有して構成される。フロントドア１０は、機械的に強固な硬質プラスチック製であり、上部パネル部１３、中部パネル部１４及び下部パネル部１５を備えて構成される。上部パネル部１３には、演出用の上部ランプ１３ａと演出用の効果音を発するスピーカが裏面側に取り付けられた放音部１３ｂ，１３ｃと、液晶ディスプレイ等で形成された演出表示装置１３ｄとが配設されている。
【００２１】
中部パネル部１４には、透明な硬質プラスチック板で形成された略長方形状の透過窓ＷＤと、演出用ランプ１４ａ，１４ｂが設けられ、図２に示す筐体５０内に設けられたリール装置６０のリールＲ１，Ｒ２，Ｒ３を、遊技者が透過窓ＷＤを介して見ることが可能となっている。
【００２２】
中部パネル部１４の下端部には、遊技者が操作するための操作部１６が設けられ、この操作部１６には、スロットマシンゲームを行うのに必要な遊技メダルを投入するためのメダル投入部ＭＤと、１ゲーム当たりのメダル数を提示するためのベットボタンＢ１，Ｂ２と、１ゲームの開始を指示するためのスタートレバーＳＴと、回転中のリールＲ１，Ｒ２，Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２３】
更に、メダル投入部ＭＤの近傍には、フロントドア１０を開錠するための鍵穴ＫＹが設けられ、遊技場側の事業者や管理者が、鍵穴ＫＹに正規の鍵を挿入して開錠操作すると、図２に示す施錠機構ＬＫを解除し、フロントドア１０を図２に示す筐体５０から開くことが可能となっている。
【００２４】
下部パネル部１５には、本スロットマシン１のゲーム内容を紹介等するための画像（図示略）が描かれており、更に遊技者の獲得した枚数の遊技メダルを払い出すための排出口１５ａ及び受皿１５ｂと、スピーカが取り付けられた放音部１５ｃが設けられている。
【００２５】
次に、図２を参照して、フロントドア１０の裏面構造と、筐体５０の内部構造を概説する。なお、図２はフロントドア１０を開錠して筐体５０から開いた状態を表している。
【００２６】
図２に示すように、フロントドア１０の裏面上部には、前述した放音部１３ｂ，１３ｃを構成するスピーカＳＲ，ＳＬが設けられ、スピーカＳＲ，ＳＬの間には演出表示装置１３ｄが設けられている。演出表示装置１３ｄの裏面側には、電気回路基板で形成されたサブ制御基板２０が取り付けられている。サブ制御基板２０は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１３ｄの裏面側に重なるようにして取り付けられている。
【００２７】
演出表示装置１３ｄとサブ制御基板２０の下方には、前述した透過窓ＷＤと中部パネル部１４のパネル面とが形成された略長方形状の枠体１４ｃが取り付けられている。枠体１４ｃの下方には、メダル投入部ＭＤより投入された投入物が正規の遊技メダルか異物かを判別して振り分けるセレクト機構Ｇ０と、セレクト機構Ｇ０で振り分けられた遊技メダルを筐体５０側に設けられているホッパ装置ＨＰへ案内するガイド部材Ｇ１と、セレクト機構Ｇ０で振り分けられた異物を排出口１５ａへ案内するガイド部材Ｇ２と、ホッパ装置ＨＰから出力される払い出し用のメダルを排出口１５ａへ案内するガイド部材Ｇ３が設けられ、更に排出口１５ａの近傍には、前述した放音部１５ｃを構成するスピーカＳＷが取り付けられている。
【００２８】
枠体１４ｃとセレクト機構Ｇ０との間には、長尺状の電気回路基板で形成された中央表示基板７０が取り付けられている。中央表示基板７０はサブ制御基板２０と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００２９】
セレクト機構Ｇ０の側方には前述した施錠機構ＬＫが設けられ、筐体５０の一端にロック部材ＬＯが固定されている。そして、フロントドア１０を筐体５０側に閉じると、施錠機構ＬＫがロック部材ＬＯに嵌着することによってフロントドア１０を施錠する。一方、前述したように正規の鍵で開錠操作すると、施錠機構ＬＫがロック部材ＬＯから外れることによってフロントドア１０を開錠することができる。
【００３０】
さて、筐体５０内には、主電源装置ＰＷＵと、ホッパ装置ＨＰから溢れた遊技メダルを収容するための補助貯留部ＳＨＰが設けられる他、前述した透過窓ＷＤに対向するリールＲ１，Ｒ２，Ｒ３とこれらリールＲ１，Ｒ２，Ｒ３を回転駆動する電動モータ（図示略）とを備えたリール装置６０が設けられている。
【００３１】
主電源装置ＰＷＵの側面には電源装置基板７２が取り付けられ、リール装置６０の上端には回胴装置基板７４が取り付けられ、リール装置６０の上方には主制御基板７６が取り付けられ、筐体５０の内壁の一端には外部集中端子としての外部集中端子基板７８が取り付けられている。
【００３２】
電源装置基板７２、回胴装置基板７４、主制御基板７６、外部集中端子基板７８は、前述したサブ制御基板２０及び中央表示基板７０と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３３】
ただし、サブ制御基板２０と主制御基板７６は、夫々硬質プラスチックの保護ケース内に個別に収納されたユニット構造となっている。
【００３４】
次に、リール装置６０とこれを筐体５０に固定するケース支持板３０について説明する。リール装置６０は、図３（斜視図）に示すように、横方向に並べられた３つのリールＲ１，Ｒ２，Ｒ３と、これらを回動自在に支持するリールケース本体６１と、リールの背面側を覆う図示しないリールケースカバーとを有して構成される。リールケース本体６１は、前側に矩形状の開口部６１ａを有して箱状に形成され、開口部６１ａの上下の各縁部には左右方向に延びるフランジ部６１ｂ、６１ｃが設けられている。これらのフランジ部６１ｂ、６１ｃには、リールＲ１，Ｒ２，Ｒ３を回動自在に支持するリール支持板６３に挿着されたリール係止部６４と係合してリール支持板６３を介してリールＲ１，Ｒ２，Ｒ３をリールケース本体６１に固定するための固定孔（図示せず）が複数形成され、また下側のフランジ部６１ｃの中央部には、さらにリールケース本体６１を後述するケース支持板に固定するための雄ねじ部６５が挿着されている。リール係止部６４は、前後方向に移動可能に装着された操作部６４ａの挿抜操作に応じて、先端側に設けられた突出片（図示せず）を径方向に拡開させ及び縮小させて、リール支持板６３をフランジ部６１ｂ、６１ｃに着脱可能に構成されている。
【００３５】
ケース支持板３０は、図４（斜視図）に示すように、板金を折り曲げ成形してなり、底板部３１とこの左右両端部から上方へ延びる一対の側板部３２と底板部３１の前側から下方へ延びる前板部３３と底板部３１の後側から上方へ延びる後板部３４とを有して構成される。底板部３１は平面視において矩形状であり、前述したリール装置６０を載置可能な大きさを有する。前板部３３には、図３に示すフランジ部６１ｂ、６１ｃに挿着されたリール係止部６４の先端部が前板部３３と当接するのを防止するために、横方向に延びる長孔状の貫通孔３３ａが左右方向に所定間隔を有して複数設けられている。なお、貫通孔３３ａは円形状に形成されてもよい。
【００３６】
前板部３３の略中央部には、前述した雄ねじ部６５と係合する雌ねじ部３３ｂが設けられている。このように構成することによって、図３に示すリール支持部６３に挿着されたリール係止部６４をフランジ部６１ｂ、６１ｃに係止させると、リールＲ１，Ｒ２，Ｒ３をリール支持板６３を介してリールケース本体６１に固定することができ、フランジ部６１ｃに挿着された雄ねじ部６５を雌ねじ部３３ｂに係合させると、リール装置６０をケース支持板３０に固定することができる。
【００３７】
ケース支持板３０の側板部３２の前後両端部及び後板部３４の左右両端部には、上下方向に所定間隔を有して配置された複数の固定孔３２ａ、３２ａ’、３４ａ、３４ａ’が設けられている。なお、図４においては、固定孔３２ａ、３２ａ’、３４ａ、３４ａ’は、側板部３２に上下方向３列で前後方向２列に配置され、後板部３４に上下方向３列で左右方向２列に配置されている。これらの固定孔３２ａ、３２ａ’、３４ａ、３４ａ’のうちの同一高さ位置に配設された一対の固定孔３２ａ、３２ａ’、３４ａ、３４ａ’は、図５（ａ）に示す筐体５０の側板５１及び裏板５２のそれぞれの両端部に配設された一対の貫通孔５１ａと連通可能な位置に配置されている。なお、これら一対の貫通孔５１ａは、側板５１及び裏板５２の下端部から上方に所定距離を有した位置に配置されている。このため、同一高さ位置に配設された一対の固定孔３２ａ、３２ａ’、３４ａ、３４ａ’を一対の貫通孔５１ａと連通させて、図示しない締結手段（例えば、ボルト及びナット）によって側板部３２及び裏板部３４を筐体５０の側板５１及び裏板５２に締め付けると、ケース支持板３０を筐体５０に固定することができる。また固定孔３２ａ、３２ａ’、３４ａ、３４ａ’は上下方向に複数配置されているので、これらの固定孔３２ａ、３２ａ’、３４ａ、３４ａ’のうちのいずれか一対を貫通孔５１ａに連通させた状態で側板部３２及び裏板部３４を筐体５０の側板５１及び裏板５２に締め付けることにより、上下位置を変えたケース支持板３０を筐体５０に固定することができる。
【００３８】
さらに詳細には、図５（ａ）に示すように、最上列の固定孔３２ａ、３２ａ’、３４ａ、３４ａ’を貫通孔５１ａに連通させた状態で側板部３２及び裏板部３４を筐体５０の側板５１及び裏板５２に締結することにより、ケース支持板３０を下方位置に移動させた状態で筐体５０に固定することができ、また図５（ｂ）に示すように、最下列の固定孔３２ａ、３２ａ’、３４ａ、３４ａ’を貫通孔５１ａに連通させた状態で側板部３２及び裏板部３４を筐体５０の側板５１及び裏板５２に締結することにより、ケース支持板３０を上方に移動させた状態で筐体５０に固定することができる。
【００３９】
このため、仕様の変更等により、例えば、図１に示す演出表示装置１３ｄをサイズの大きいものに変更して、リール装置６０の筐体５０に対する上下方向の取付位置に変更が生じた場合でも、ケース支持板３０は筐体５０に対して下方向にずらした位置に固定することができる。このため、筐体５０を設計変更したり、追加工したりすることなく、そのままの筐体５０にリール装置６０を所望の上下位置に固定することができる。このため、製造コストを増加させずに、上下方向の取付位置変更に対応可能な筐体５０を備えたスロットマシン１を提供することができる。
【００４０】
また、固定孔３２ａ、３４ａ及び貫通孔５１ａに挿通されるボルト及びナットから構成される締結手段（図示せず）の締め付けによってケース支持板３０が筐体５０に固定され、この締結手段を緩めると筐体５０に固定されたケース支持板３０の固定状態を解除することができる。このため、簡易な構成でケース支持板３０を筐体５０に固定することができるとともに、固定及び固定解除のそれぞれの作業性を向上させることができる。
【００４１】
[第２の実施の形態]
次に、本発明の第２の実施の形態について説明する。第２の実施の形態については、第１の実施の形態との相違点のみを説明し、第１の実施の形態と同一態様部分については同一符号を附してその説明を省略する。
【００４２】
第２の実施の形態のケース支持板３０’は、前述したリール装置６０を筐体５０に対して左右方向にずらして固定可能にするものである。図６（斜視図）に示すように、ケース支持板３０’の前板部３３には、雌ねじ部３３ｂが左右方向に所定間隔を有して３つ設けられている。また、側板部３２及び裏板部３４のそれぞれには、横方向に１列に並んだ一対の固定孔３２ａ、３２ａ’、３４ａ、３４ａ’が配設されている。このように構成することにより、図７（ａ）に示すように、３つの雌ねじ部３３ｂのうちの左側端部に配置された雌ねじ部３３ｂに図３に示す雄ねじ部６５を係合すると、リール装置６０を筐体５０に対して左側にずらした位置に固定することができ、また、図７（ｂ）に示すように、３つの雌ねじ部３３ｂのうち右側端部に配置された雌ねじ部３３ｂに図３に示す雄ねじ部６５を係合すると、リール装置６０を筐体５０に対して右側にずらした位置に固定することができる。
【００４３】
このため、仕様の変更等によりリール装置６０の筐体５０に対する左右方向の取付位置に変更が生じた場合でも、リール装置６０をケース支持板３０’に対して左右方向にずらした位置に固定することにより、筐体５０を設計変更したり、追加工したりすることなく、従前の筐体５０にリール装置６０を所望位置に取り付けることができる。このため、製造コストを増加させずに左右方向の取付位置変更に対応可能な筐体５０を備えたスロットマシン１を提供することができる。
【００４４】
また雄ねじ部６５及び雌ねじ部３３ｂは、それぞれが前側に配置されているので、前側に開口部６１ａを形成したリールケース本体６１の前側から雄ねじ部６５を雌ねじ部３３ｂに係合させることができる。このため、リール装置６０をケース支持板３０に固定する際の作業性を向上させることができる。
【００４５】
なお、前述した２つの実施の形態では、ケース支持板３０が筐体５０に対して上下方向にずれた位置に取り付け可能なものと、リール装置６０がケース支持板３０’に対して左右方向にずれた位置に取り付け可能なものを示したが、ケース支持板はこれらの機能を併せ持つもの、即ち、ケース支持板が筐体５０に対して上下方向にずれて取り付け可能であり、且つリール装置６０がケース支持板に対して左右方向にずれて取り付け可能なものでもよい。
【００４６】
また、前述した実施の形態では、雄ねじ部６５が雌ねじ部３３ｂに係合するように構成したが、雄ねじ部６５が図３に示すフランジ部６１ｂ、６１ｃを挿通してナットと螺合してリール装置６０をケース支持板に固定するようにしてもよい。この場合、フランジ部６１ｂ、６１ｃに雄ねじ部６５を挿通する孔部（図示せず）を設け、この孔部を左右方向に所定間隔を有して配置したり、孔部を左右方向に延びる長孔状に形成したりしてもよい。さらに、前述した実施の形態では、スロットマシン１を例にしたが、パチンコ機やゲーム機などを対象にしてもよい。
【図面の簡単な説明】
【００４７】
【図１】本発明の一実施の形態に係わるスロットマシンの正面図を示す。
【図２】このスロットマシンのフロントドアを筐体から開いた状態の内部構造図を示す。
【図３】リール装置の部分斜視図を示す。
【図４】筐体内に取り付けられるケース支持板の斜視図を示す。
【図５】筐体内に取り付けられたケース支持板を示し、同図（ａ）は、上方にずれた位置に取り付けられたケース支持板を示し、同図（ｂ）は、下方にずれた位置に取り付けられたケース支持板を示す。
【図６】筐体内に取り付けられる他のケース支持板の斜視図を示す。
【図７】筐体内に取り付けられたケース支持板を示し、同図（ａ）は、リール装置を左側にずれた位置に取り付けたケース支持板を示し、同図（ｂ）は、リール装置を右側にずれた位置に取り付けたケース支持板を示す。
【符号の説明】
【００４８】
１  スロットマシン（遊技機）
３０  ケース支持板（支持板）
３２ａ、３２ａ’  固定孔（係止部）
３３ｂ  雌ねじ部（係合部）
５０  筐体
５１  側板
５１ａ  貫通孔（係合部）
６０  リール装置
６５  雄ねじ部（係止部）
【図１】
2006130174.tif 000003
【図２】
2006130174.tif 000004
【図３】
2006130174.tif 000005
【図４】
2006130174.tif 000006
【図５】
2006130174.tif 000007
【図６】
2006130174.tif 000008
【図７】
2006130174.tif 000009